(57)【要約】【課題】口鼻用マスクとアイマスク２つを同時に着用することの煩わしさや用意する手間を解消し、口鼻用マスクを装着したまま外すことなく即時にアイマスクを使用することができる機能を持ったアイマスク付きマスクを提供する。【解決手段】  着用者の口や鼻を覆い防護する目的のマスク本体１と当該マスク本体の上縁部から延在し折り畳まれて形成されたアイマスク部２を有するマスクであって、アイマスク部２未使用時には目を塞がない位置で折り畳まれ平面状となり、アイマスク部２使用時に広がり目を塞ぐことができるよう形成されたマスクであって、前記アイマスク部２の形状が、シート部材で作られる山折りと谷折りの繰り返し構造であって、折りたたんだ状態で左右端部が接着加工されており、使用時には前記折り構造を広げ展開しで立体形状となるよう形成されるアイマスク部２を有することを特徴としたマスク。【選択図】図１
2019143277.tif 000002
【特許請求の範囲】
【請求項１】
着用者の口や鼻を覆い防護する目的のマスク本体と当該マスク本体の上縁部から延在し折り畳まれて形成されたアイマスク部を有するマスクであって、アイマスク部未使用時には目を塞がない位置で折り畳まれ平面状となり、アイマスク使用時に広がり目を塞ぐことができるよう形成されたマスクであって、前記アイマスク部の形状が、シート部材で作られる山折りと谷折りの繰り返し構造であって、折りたたんだ状態で左右端部が接着加工されており、使用時には前記折り構造を広げ展開しで立体形状となるよう形成されるアイマスク部付きマスク。
【発明の詳細な説明】
【技術分野】
【０００１】  本発明は使用者の口や鼻を覆うマスク本体と、目を覆うアイマスク部が一体となったマスクに関するものであり、特に口や鼻を覆うマスク本体を使用中はアイマスク部が畳まれ視界を塞ぐことなく、アイマスク部を使用する際にはマスク本体を装着したままはずすことなく容易に展開し広げ使用することができるアイマスク付きマスクに関するものである。
【背景技術】
【０００２】    従来、例えば特許文献１と２には、口鼻用マスクとアイマスクが一体となり、口鼻用マスクもしくはアイマスクとして使用する際にはマスク全体を半分に折りたたんだ状態で使用し、口鼻用マスクとアイマスクの両方の機能を同時に使用する際は、装着している半分に折り畳まれた状態のマスクを外してから、半分に折られたマスクの折り畳みを展開して用いるマスクが開示されている。また特許文献２には、口元を覆う下カバーをアイマスクの中に収納できる機能を持つ下カバー付きアイマスクが開示されている。
【先行技術文献】
【特許文献】
【０００３】
【特許文献１】特開２０１４−２００４５９号公報
【特許文献２】特開２０１２−１６５８２９号公報
【特許文献３】特開２００６−２２３６０８号公報
【発明の概要】
【発明が解決しようとする課題】
【０００４】  前記背景技術のように２つに折り畳まれた状態で口用マスク、あるいはアイマスクとして装着することができるものは、２つに折り畳まれているための素材の重なり部分の厚みにより、通気性の悪さによる口鼻用マスクとしての装着時の息苦しさ等の不快感が心配される。【０００５】  特許文献１、２を口鼻用マスクとして装着している際に、アイマスク部分も同時に使用したいと思った際は、装着していたマスクを一度はずす必要があり、その後二つ折りを展開したのち、改めて装着をしないといけない手間や不便が生じる。【０００６】前記背景技術いずれも、口鼻用マスクとしてアイマスクを使用しないで目を塞ぐことなく使用している状態から装着を外すことなく容易にアイマスクを使用することが不可能であった。【０００７】  本発明の課題は、上記問題を解決するため、口や鼻を覆うマスクとして使用している状態は目を塞ぐことなく、アイマスクが必要となった際には、その装着を外すことなく容易にアイマスクも使用できるマスクを提供することにある。
【課題を解決するための手段】
【０００８】  着用者の口や鼻を覆い防護する目的のマスク本体と当該マスクの上縁部から延在し折り畳まれて形成されたアイマスク部を有するマスクであって、アイマスク部未使用時には折り畳まれ平面状となり、アイマスク使用時に広がり立体状となるよう形成されたマスクであって、前記アイマスク部の形状が、シート部材で作られる山折りと谷折りの繰り返し構造であって、折りたたんだ状態で左右端部が接着加工されており、使用時には前記折り構造を広げ展開しで立体形状となるよう形成されるアイマスク部を有するマスク。【０００９】通常の口や鼻を覆い防護する目的のマスクとして装着中も、コンパクトに畳まれたアイマスクの形状により視界を妨げることなく、またアイマスク機能を使用したい時には装着中のマスク本体をはずすことなくアイマスク部を展開でき、必要な際に容易に目を覆うことができることを特徴としたマスク。【００１０】  本発明でいうマスク本体とは、一般的な意味で用いられる公知の口、鼻を覆うマスク部分のことを指す。
【発明の効果】
【００１１】  本発明のマスクは、マスク本体の上部に延在され畳まれたアイマスク部により、口鼻用マスクとして装着しながら必要な時に装着をはずすことなくアイマスク部も即座に使用でき、口鼻用マスク、アイマスク、フェイスマスクとして好適に使用することができる。
【図面の簡単な説明】
【００１２】
【図１】本発明の一例として表した、マスクを使用する前のマスク本体、アイマスク部折り畳んだ状態での平面図である。
【図２】図１に示したマスクのマスク本体、アイマスク部を展開した状態の平面図である。
【図３】（Ａ）は、マスクの実施方法を示した説明図である。（アイマスク部を閉じた状態）  （Ｂ）は、マスクの実施方法を示した説明図である。（アイマスク部を広げた状態）
【発明を実施するための形態】
【００１３】  マスク本体の上縁部に接合されたアイマスク部は、シート部材で作られる山折りと谷折りの繰り返し構造であって、折りたたんだ状態で左右端部が接着加工されており、使用時には前記折り構造を広げ展開しで立体形状となるよう形成される。
【００１４】  一実施形態として、前記折り畳みは、多様な折り方のプリーツ状や、平面の生地の一部分をつまんで縫うタック方式、あるいはプリーツの線を途中で消したダーツで形成されていてもよい。
【００１５】  アイマスク部の大きさは、展開時に公知のアイマスクの大きさを参照とした目や眉を覆うことが出来る大きさであり、アイマスク部展開時の中央の上部から下部までの長さは６０ミリ前後が好ましく、畳んだ状態では、アイマスク部が着用者の視界の邪魔にならないよう上部から下部までの長さが１５ミリ前後が好ましい。
【００１６】  アイマスク部は、マスク本体部と別体構造であってもよいし、あるいはマスク本体の延長として一体構造形成されていてもよい。
【００１７】  本発明のマスクは、着用者の顔面に保持するための装着部を有し、着用者の耳に掛けられるようマスク本体の左右方向の両側に設けられた耳掛け部であり、あるいは、より装着時の顔面への密着性を高めるために、後頭部にまわして装着するための帯状やシート状の装着部材が左右両側に設けられていてもよく、これら装着部は、マスク本体部と別体構造であってもよいし、あるいはマスクの一部として一体構造形成されていてもよい。
【００１８】  本発明のマスクは、マスク装着時のフィット性を維持し着用者の顔の曲面に沿って立体化するため針金や柔軟性のあるプラスチックでできたワイヤーを鼻やほほなど一部分に有していても良い。また立体を形成するためマスク本体内部にプラスチックのカップを有していても良く、マスク本体、アイマスク部とが使用者の鼻元、ほお、あご、こめかみなど顔とのフィット性、遮光性を高めることができるようにすることが好ましい。マスク本体の形状は、平面的な形状であってもよいし。プリーツが施され着用時に立体状になる形状でもよく、マスク本体の素材、大きさ、形状、構造については一般に知られるマスクを参照してもよい
【００１９】  マスク本体とアイマスク部の境界線は、マスク本体とアイマスク部の形状により位置を調整するのが好ましい。
【００２０】  折り畳まれたアイマスク部を容易に引きだし展開するための展開補助部材がマスク本体あるいは、アイマスク部に有していても良い。
【００２１】  アイマスク部は、その使用をする用途により透明、不透明、有色、無色であってよい。例えば睡眠など光を遮断する目的で使用することを仮定した場合には、遮光効果を高めるため、不透明で有色が好ましく、また掃除や作業中に発生する粉塵や、特にスプレー式の科学薬品などの飛沫が飛散した際の、顔面や目への付着など外部の刺激からの目の保護、あるいは花粉症でおきる花粉の目や目の周りへの刺激を防ぐために  装着することを仮定した場合には、無色透明で、視界を極力遮らないようにするのが好ましい。また遮光加工や着用の際の安全を考慮し、上縁部左右の先端の角度に丸みを持たせた形状や、上縁部を一般的なアイマスクの上縁部の形状、すなわち左右の目の上縁が弧を描いた形状でも良い。またマスク本体やアイマスク部に絵柄が入っていたり装飾がなされていても良い。
【００２２】  本発明のマスクは、従来のマスクやアイマスクに使用可能な材料である布製、不織布製、織布製、プラスチック製の布等のシート部材から構成することができる。耳掛けなどの装着用部材は、本体部に使用可能な前記のシート部材や、弾性または非弾性の紐で構成してもよい。
【００２３】  次に、本発明のマスクについて、一例として図面を参照して説明する。なお、図面に示された実施態様は、一実施形態であり何らの限定を受けるものではない。
【００２４】  図１は、装着前のマスク本体とアイマスク部を畳んだ状態のマスクの平面図を表している。
図２は図１に示したマスク本体とアイマスク部を展開した状態の平面図を表している。
図３Ａは、本発明のマスクをアイマスク部を使用せずマスク本体の口鼻用マスクとして装着した際の例である。この際、アイマスク部は折り畳まれた状態を保ち、アイマスク部上縁部は視界を妨げないよう目の下部にかからないように形成される。
図３Ｂは、本発明のマスクのマスク本体とアイマスク部を使用した際の例である。図３Ａの状態から、折り畳まれたアイマスク部を展開し目を覆うように広げてアイマスク部を使用する。
【産業上の利用可能性】
【００２５】  マスクとアイマスクが一体となり、かつマスクを装着したまま必要な時に容易にアイマスクを引き出し気軽に目を保護することが出来る本発明により、使用者にとって使い勝手がよいなどの利便性が高まり、現代人の睡眠や保湿、またリラックス効果などを目的とした、美容、健康商品として、あるいは、アイマスク部を透明性のある部材にすることにより、視界を妨げないまま簡易的に清掃時や調理時の外部からの刺激から目を保護することが出来る衛生用品として広く適用することができる。
【符号の説明】
【００２６】  １  マスク本体
２  アイマスク部
３  装着部
【図１】
2019143277.tif 000003
【図２】
2019143277.tif 000004
【図３】
2019143277.tif 000005